(57)【要約】      （修正有）【課題】介護者、被介護者の円滑な移送を可能とする福祉有償輸送管理システムの提供。【解決手段】介護者、被介護者の送り迎えで使用する車両に距離メーター及び運賃メーターを搭載し、車両の運行管理及び利用者の支払いを簡易とする福祉有償輸送管理システム。【選択図】図1
2006039601.tif 000002
【特許請求の範囲】
【請求項１】
老人と障害等のお持ちの方が、（介護保険法及び支援費制度を使用する方限定で）自家用自動車の施設の送り向かいも若くは、自宅から病院等の送り向かいの自家用車輸送について福祉車両に走行メーター及び運賃メーターを搭載し、老人も若くは障害等のお持ちの方に移送を円滑に移送できる事が福祉有償輸送管理システム
【請求項２】
訪問居宅介護及び施設等及び身体障害居宅等の送り向かいで使用している自家用自動車を使用し福祉車両並びに自動車輸送に関し運賃メーター及び距離メーターを搭載した車両を一般旅客運送事業者と契約した自家用自動車を訪問介護及び訪問居宅等及び困っている施設等にその自家用自動車を使用し、送り向かいを円滑に移送できる事が福祉有償輸送管理システム。
【請求項３】
有償輸送を行なおうとする運転手は、１０日間の実習プログラムに沿い実習を行なう必要があるのが福祉有償輸送管理システム。（運転者に対しての教育プログラム）
【請求項４】
走行メーター又は運賃メーターを搭載することにより、有償輸送で輸送した人数及び走行日計及び料金が表示されることにより把握しやすくなるのが福祉有償輸送管理システム
【請求項５】
福祉有償輸送管理システムを使用する事により、老人及び障害のも持ちの方で移送した分の料金をそのつど頂くのが非常に困難な方も福祉有償輸送管理システムを使用して頂くことにより、事業所及び施設等から一括して請求または先払いで利用者さんに頂くことが簡単に出来る有償輸送管理システム
【発明の詳細な説明】
【技術分野】
【０００１】
本発明は、自家用輸送簡単に施設及び訪問介護並びに身体障害支援の自家用輸送ができるシステムです。
【発明の開示】
【発明の効果】
【０００２】
老人と障害者等のお持ちの方が安心してご利用だけるシステム並びに事業者側も日計で走行管理とうにひとやく活躍いたします。
【０００３】
Ａ者の送り向かいが終わりＢ者の送り向かいが忙しいところの送り向かいでも自家用自動車を回して、円滑にお答え出来ることが期待できます。
【０００４】
施設等及び訪問介護を行なって居る事業所には、福祉車両が足り無いからと言いて車両を増やすことなく。車両が遊んでいる時に、他の事業所及び福祉関係の移送をしている事業所及び福祉関係の移送をしている方に凄い効果をたらします。
【０００５】
利用者によっては、お金の管理等が難しい方、その時に料金の支払いを一括請求もできるのは、福祉有償移送管理システム
【図面の簡単な説明】
【０００６】
【図１】福祉有償輸送管理システムを車両に取付けるメーターの説明図
【図２】福祉有償輸送管理システム説明（事業所が管理する図）
【図３】福祉有償輸送管理システム説明（施設等の管理するシステム図）
【図４】福祉有償輸送教育プログラム（事例１）
【符号の説明】
【０００７】
１  走行メーター又は運賃メーター
２  車両の助手席側
３  車両の運転席側
４  車両のダッシュボックス部分
５  支援費制度の使用している利用者さん又は介護保険法を利用した利用者さん
６  訪問介護事業所又は一般旅客運送事業者との契約で有償輸送を受けて使用と
する契約を交わす。
７  自家用輸送で走る場合は、走行メーター又は運賃メーターの搭載した車両に利用者に乗ってもらいます。
８  この間走行メーター又は運行メーターを使用して実車距離で測る。
９  施設又は持込の自家用自動車の車両を契約で結ぶ。
10  目的地に着いたら、利用者は走行メーター又は運賃メーターのとおり料金を頂く。
11  Ａ者の施設及びディサービスの送迎及び移動  
12  Ｂ者の施設及びディサービスの送迎及び移動
13  Ａ者の車両に余っていたら、Ｂ者が送迎等に間に合わないとき。Ａ者の車両
を使用して送迎に役立たせる。（有償輸送で登録させている車両も含めて使用し送迎に役出させる）
14  利用者さんに請求を出し料金を頂く。
15  有償輸送を行なっている事業所がＡ者Ｂ者共に使用した車両にたいして、車両の使用料金が支払われる。
17  この点線で囲まれた部分が福祉有償輸送管理システムの特許に値します。
18  事故対策センターにて適正検査を受け。
19  救急救命の講習を受けて貰い。
20  有償輸送とは何かの学習をし
21  福祉車両の使い方や、利用者の扱い方など学習
22  交通課の警察官に来てもらい安全教育等を行い。
23  晴れて有償輸送の車両の運転手として出来る。
24  この間の間に申請を出し有償輸送登録をする。
25  この間を１０日間で学習を行なう。
26  利用者さんによっては、そのつど支払いが大変だったら使用した分だけ請求若しくは先払いで行なう。
【図１】
2006039601.tif 000003
【図２】
2006039601.tif 000004
【図３】
2006039601.tif 000005
【図４】
2006039601.tif 000006
【手続補正書】
【提出日】平成16年11月24日(2004.11.24)
【手続補正１】
【補正対象書類名】特許請求の範囲
【補正対象項目名】全文
【補正方法】変更
【補正の内容】
【特許請求の範囲】
【請求項１】
老人と障害等のお持ちの方が、（介護保険法及び支援費制度を使用する方限定で）自家用自動車の施設の送り向かいも若くは、自宅から病院等の送り向かいの自家用車輸送について福祉車両に距離メーター及び運賃メーターを搭載し、老人も若くは身体障害等のお持ちの方に移送をスムーズかつ安全に移送できる事が福祉有償輸送管理システム
【請求項２】
訪問居宅介護及び施設等及び身体障害居宅等の送り向かいで使用している自家用自動車を使用し福祉車両並びに自動車輸送に関し運賃メーター及び距離メーター等を搭載して、運賃を貰う訪問居宅等及び困っている施設等にその自家用自動車を使用し、送り向かいをスムーズかつ安全に移送できる事が福祉有償輸送管理システム。
【請求項３】
有償輸送を行なう者の自家用車に運賃メーター及び距離メーターと時間貸し切り運賃等を備えたメーターとデジタルタコグラフを用いて、有償輸送で輸送した人数並びに走行キロ等を自動日報により、事業所など把握がしやすくなるのが福祉有償輸送管理システム
【請求項４】
有償輸送を行なおうとする運転手は、１０日間の実習プログラムに沿い実習を行なう必要があるのが福祉輸送管理システム
【請求項５】
有償輸送を行なっている事業所が運転手に日常指導について、デジタルタコグラフを用いて走行を行なっている運転手に指導並びに管理できるのが福祉有償輸送管理システム
【手続補正２】
【補正対象書類名】明細書
【補正対象項目名】全文
【補正方法】変更
【補正の内容】
【発明の詳細な説明】
【技術分野】
【０００１】
本発明は、自家用輸送簡単に施設及び訪問介護並びに身体障害支援の自家用輸送ができるシステムです。
【発明の開示】
【発明の効果】
【０００２】
老人と障害者等のお持ちの方が安心してご利用だけるシステムです。
【０００３】
利用者さんの送り向かいが終わり次の利用者さんの送り向いに自家用自動車を回して、スムーズにお答え出来ることが期待できます。
【０００４】
施設等及び訪問介護を行なって居る事業所には、福祉車両が足り無いからと言いて車両を増やすことなく。車両が遊んでいる時に、他の事業所及び福祉関係の移送をしている事業所及び福祉関係の移送をしている方に凄い効果をたらします。
【０００５】
有償輸送を行なっている運転手にも、運転の指導及び管理等が行なえることが安心して、有償輸送を利用してもらえることが期待できます。
【図面の簡単な説明】
【０００６】
【図１】福祉有償輸送管理システム説明（事業所が管理する図）
【図２】福祉有償輸送管理システム説明（施設等の管理するシステム図）
【図３】福祉有償教育プログラム（事例１）
【符号の説明】
【０００７】
１  支援費制度の使用している利用者さん又は介護保険法を利用した利用者さん
２  訪問介護事業所又は一般旅客運送事業者との契約で有償輸送を受けて使用と
する契約を交わす。
３  自家用輸送で走る場合は、走行メーター又は運賃メーターとデジタルタコグラフを搭載した車両に利用者に乗ってもらいます。
４  この間、距離メーター又は運行メーターを使用して実車距離で測る。
５  施設又は持込の自家用自動車の車両を契約で結ぶ。
６  目的地に着いたら、利用者は走行メーター又は運賃メーターのとおり料金を頂く。
７  Ａ者の施設及びディサービスの送迎及び移動  
８  Ｂ者の施設及びディサービスの送迎及び移動
９  Ａ者の車両に余っていたら、Ｂ者が送迎等に間に合わないとき。Ａ者の車両
を使用して送迎に役立たせる。（有償輸送で登録させている車両も含めて使用し送迎に役出させる）
10  利用者さんに請求を出し料金を頂く。
11  有償輸送を行なっている事業所がＡ者Ｂ者共に使用した車両にたいして、車両の使用料金が支払われる。
12  この点線で囲まれた部分が福祉有償輸送管理システムの特許に値します。
13  事故対策センターにて適正検査を受け。
14  救急救命の講習を受けて貰い。
15  有償輸送とは何かの学習をし
16  福祉車両の使い方や、利用者の扱い方など学習
17  交通課の警察官に来てもらい安全教育等を行い。
18  晴れて有償輸送の車両の運転手として出来る。
19  この間の間に申請を出し有償輸送登録をする。
20  この間を１０日間で学習を行なう。
21  利用者さんによっては、そのつど支払いが大変だったら使用した分だけ請求若しくは先払いで行なう。
【手続補正３】
【補正対象書類名】図面
【補正対象項目名】全図
【補正方法】変更
【補正の内容】
【図１】
2006039601.tif 000007
【図２】
2006039601.tif 000008
【図３】
2006039601.tif 000009